【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
注入ポンプ（２）に配置された注入シリンジ（５）の注入シリンジ・ピストン（４）線形移動のための駆動デバイス（１）であって、前記注入ポンプ（２）は、前記注入シリンジ・ピストン（４）を支持するための主要軸受手段（１７）と、前記主要軸受手段（１７）上に前記注入シリンジ・ピストン（４）を固定するための固定手段（２０）と、前記固定手段（２０）を始動させるための手段（２１）とを含む、ドライブ・ヘッド・ユニット（３）を備え、さらに、前記注入ポンプ（２）は、電動前進スピンドル（８）と、少なくとも１つの半径方向可動ナット・シェル（１２、１３）を有する複数パーツ型前進スピンドル・ナット（９）とを含む、前記ドライブ・ヘッド・ユニット（１）用の前進手段（６）を備え、前記ドライブ・ヘッド・ユニット（３）が、前記主要軸受手段（１７）の前方の前記注入シリンジ・ピストン（４）を検出するための検出手段（２３）をさらに備える、駆動デバイス（１）において、
前記検出手段（２３）は、前記注入シリンジ（４）のピストン・プレート（１８）が前記主要軸受手段（１７）と接触状態になる前に前記注入シリンジ・ピストン（４）の種々の位置を検出するための少なくとも２段型上流検出手段（２８）を有する複数しきい値センサ・ユニット（２４）を備えることを特徴とする、駆動デバイス（１）。
【請求項２】
前記複数しきい値センサ・ユニット（２４）は、１つの単体伝達装置要素（２７）により始動される少なくとも２つのセンサ（２９、３０）を備え、前記伝達装置要素（２７）は、前記主要軸受手段（１７）から突出する接触要素（２７Ａ）を備えることを特徴とする、請求項１に記載の駆動デバイス（１）。
【請求項３】
前記検出手段（２３）は、前記ドライブ・ヘッド・ユニット（３）内において軸方向に直列配置された少なくとも２つの光バリア（２９、３０）を備えることを特徴とする、請求項１または２に記載の駆動デバイス（１）。
【請求項４】
前記２つの光バリア（２９、３０）の少なくともいずれかが、フォークライトバリアであることを特徴とする、請求項３に記載の駆動デバイス（１）。
【請求項５】
前記主要軸受手段（１７）は、前記複数しきい値センサ・ユニット（２４）のセンサ（２９、３０）を切り替えるための接触要素（２７Ａ）を含む伝達装置要素（２７）を備えるダイアフラム・プレート（２２）を備えることを特徴とする、請求項１から４のいずれか一項に記載の駆動デバイス（１）。
【請求項６】
前記複数しきい値センサ・ユニット（２４）の１つの単体伝達装置要素（２７）が、前記固定手段（２０）を始動させるための前記手段（２１）の内部に配置されることを特徴とする、請求項１から５のいずれか一項に記載の駆動デバイス（１）。
【請求項７】
前記複数しきい値センサ・ユニット（２４）の１つの単体伝達装置要素（２７）は、前記２段型上流検出手段（２８）の第１の段が前記単体伝達装置要素（２７）により始動され得る前に、２ｍｍ〜１０ｍｍの間の、好ましくは４ｍｍの事前移動値を有することを特徴とする、請求項１から６のいずれか一項に記載の駆動デバイス（１）。
【請求項８】
前記駆動デバイス（１）は、前記前進スピンドル（８）における前記少なくとも１つの半径方向可動ナット・シェル（１２、１３）の自動半径方向係合用の前記検出手段（２３）に応じて動作する、および、前記半径方向に係合された前進スピンドル・ナット（９）により実施される前記注入シリンジ・ピストン（４）までの前記主要軸受手段（１７）の基準移動を開始させるための、少なくとも１つの接合制御手段（３４）を備えることを特徴とする、請求項１から７のいずれか一項に記載の駆動デバイス（１）。
【請求項９】
前記接合制御手段（３４）は、保持ソレノイド（８０、８１）を切り替えるためのコンパレータ回路ユニット（１００）を備えることを特徴とする、請求項８に記載の駆動デバイス（１）。
【請求項１０】
前記前進手段（６）は、前記前進スピンドル（８）に対して前記前進スピンドル・ナット（９）を半径方向に係合するために軸方向可動摺動スリーブ（５３、５６）を作動させるための前記検出手段（２３）によって制御可能な保持ソレノイド（８０、８１）を備えることを特徴とする、請求項１から９のいずれか一項に記載の駆動デバイス（１）。
【請求項１１】
前記注入ポンプ（２）上に配設された注入シリンジ（５）の注入シリンジ・ピストン（４）を移動させるためのドライブ・ヘッド・ユニット（３）を備えおよび前記ドライブ・ヘッド・ユニット（３）を駆動するための前進手段（６）を備える、前記注入ポンプ（２）であって、
請求項１から１０のいずれか一項に記載の駆動デバイス（１）を特徴とする、注入ポンプ（２）。
【請求項１２】
注入シリンジ・ピストン（４）の線形移動のためのドライブ・ヘッド・ユニット（３）を備える注入ポンプ（２）上の注入シリンジ（５）の始動のための方法であって、前進スピンドル・ナット（９）の少なくとも１つの半径方向可動ナット・シェル（１２、１３）が、前記ドライブ・ヘッド・ユニット（３）を駆動するために、前進手段（６）の前進スピンドル（８）から半径方向に係合解除されることにより、前記注入シリンジ・ピストン（４）のピストン・プレート（１８）の前記ドライブ・ヘッド・ユニット（３）が、手動により迅速に軸方向へと送られることが可能になり、また、不注意によるボーラス投与を防止するために、前記ピストン・プレート（１８）が、前記ピストン・プレート（１８）が前記ドライブ・ヘッド・ユニット（３）の主要軸受手段（１７）の主要軸受表面（１９）と接触状態になる前に、複数しきい値センサ・ユニット（２４）および前記ドライブ・ヘッド・ユニット（３）に関連付けられる少なくとも２段型上流検出手段（２８）を含んでいる検出手段（２３）によって検出され得る、方法において、
第１の検出ステップで、前記検出手段（２３）の前記接触要素（２７Ａ）は、第１のセンサ要素（２９）を始動させ、それにより、前記前進スピンドル・ナット（９）および前記前進スピンドル（８）による前記ドライブ・ヘッド・ユニット（３）の前記手動送りが阻止され、前記少なくとも１つの半径方向可動ナット・シェル（１２、１３）が前記前進スピンドル（８）に対して半径方向に係合され、このとき、前記ピストン・プレート（１８）の前記前記ドライブ・ヘッド・ユニット（３）は、前記前進手段（６）を介してモータ駆動によりさらに送られ、
第２の検出ステップで、前記接触要素（２７Ａ）は、第２のセンサ要素（３０）を始動させ、それにより、前記主要軸受手段（１７）の前記主要軸受表面（１９）までの前記ドライブ・ヘッド・ユニット（３）のモータ駆動基準移動が、開始され、
第３の検出ステップで、前記モータ駆動基準移動は、前記主要軸受表面（１９）との前記ピストン・プレート（１８）の接触の途中で停止され、前記ピストン・プレート（１８）用の固定手段（２０）の保持ブラケット（２０Ａ、２０Ｂ）が、閉じられ、それにより、前記ピストン・プレート（１８）は、前記主要軸受手段（１７）に対して固定されることを特徴とする、方法。
【請求項１３】
前記ドライブ・ヘッド・ユニット（３）の前記手動送込みは、前記接触要素（２７Ａ）が前記第２のセンサ要素（３０）を始動させる前に阻止されることを特徴とする、請求項１２に記載の方法。
【請求項１４】
前記モータ駆動基準移動は、規定のモータ・ステップ数により実施されることを特徴とする、請求項１２または１３に記載の方法。